(57)【要約】【課題】  基材が調湿性能を有する内装パネルであって、簡単な構造によって調湿基材の調湿性能を効果的に発揮させることができる内装パネルとその取付構造を提供する。【解決手段】  調湿内装パネルＡは、調湿基材１の裏面に複数本の桟材２を一体的に固着することによって隣接する桟材２、２間で空気の流通路３を形成していると共に、桟材２にこの流通路３に連通する貫通孔５を設けて該流通路３に面した調湿基材１の裏面からの吸放湿を良好に行わせるように構成していると共に、隣接する調湿内装パネルＡ、Ａの調湿基材１、１の対向木口面間に隙間６を設けた取付構造として該隙間６に面した木口面からの吸放湿も良好に行わせるように構成している。【選択図】    図１
2005256440.tif 000002
【特許請求の範囲】
【請求項１】
表面に化粧紙等の化粧層を施している調湿基材の裏面に複数本の桟材を一体的に固着して調湿基材の裏面と隣接する桟材間に空気の流通路を形成していることを特徴とする調湿内装パネル。
【請求項２】
調湿基材の裏面に桟材を介して下地裏板を一体に取付けていることを特徴とする請求項１に記載の調湿内装パネル。
【請求項３】
桟材に空気の流通路に連通する複数個の貫通孔を設けていることを特徴とする請求項１又は請求項２に記載の調湿内装パネル。
【請求項４】
化粧層が透湿性を有していることを特徴とする請求項１に記載の調湿内装パネル。
【請求項５】
化粧層を設けた調湿基材に、化粧層の表面から該調湿基材の裏面に貫通する複数のスリット又は小孔を設けていることを特徴とする請求項１又は請求項２に記載の調湿内装パネル。
【請求項６】
表面に化粧紙等の化粧層を施している調湿基材の裏面に複数本の桟材を一体的に固着してなる調湿内装パネルを、隣接する調湿内装パネルにおける対向する木口面間に隙間を設けるようにして下地面に取付け、該下地面と調湿基材との対向面と隣接する桟材とで囲まれた空間部を上記隙間を通じて外部に連通する空気の流通路に形成していることを特徴とする調湿内装パネルの取付構造。
【発明の詳細な説明】
【技術分野】
【０００１】
本発明は室内の湿度を調節することができる調湿内装パネルとその取付構造に関するものである。
【背景技術】
【０００２】
従来から、住宅の内装材として調湿性能を有する基材を使用することにより、結露やカビ等の発生を防止することが行われているが、基材の表面には化粧シートや化粧塗装、突板貼り等の化粧層が設けらていて、これらは程度の差はあれ、いずれも基材のもつ吸放湿性能を妨げている。特に、腰掛部においては、昨今、ペットを飼う世帯の増加に伴い、内装パネルとして耐傷性を有するものが求められているが、耐傷性を有する化粧紙等の化粧層は当然のことながら極めて低透湿度性、即ち、透湿抵抗の大きいものとなり、従って、このような腰掛部を有する部屋に調湿性能を有する基材を使用してもその調湿性能を十分に発揮させることが困難であった。
【０００３】
このため、特許文献１に記載されているように、表面に化粧シートを貼着しても調湿性能を十分に発揮させることができる調湿内装パネルが開発された。この調湿パネルは、合板や中比重繊維板等の基板の表面に突板や化粧紙等の化粧シートを貼着することによって化粧板を形成し、この化粧板の裏面に数本の棒状の補助材を介して調湿基材を一体に取付けた構造を有している。
【特許文献１】特開平１１−２２９５１４号公報。
【発明の開示】
【発明が解決しようとする課題】
【０００４】
しかしながら、この調湿内装パネルは、調湿基材そのものを化粧板として使用しているのではなく、別に合板や中比重繊維板等の基板の表面に化粧シートを貼着してなる化粧板を採用し、この化粧板の裏面に補助材を介して上記調湿基材を取付けているため、製作に手間を要するばかりでなく高価につき、その上、厚みも厚くなって取扱性や施工性に問題が生じる虞れがある。
【０００５】
さらに、化粧板の裏面側に補助材を介して調湿基材を配設すると、該調湿基材の表面は、その表面と化粧板の裏面間との狭い空気層と化粧板とを介して調湿すべき室内に面した構造となるため、調湿基材のもつ吸放湿量の多さや吸放湿速度等の吸放湿性能を有効に発揮させることができず、室内の調湿機能が低下するといった問題点がある。また、この調湿内装パネルを施工する場合、表面側に配している化粧板は、互いに隣接する化粧板間に隙間を存するように施工されるが、裏面側に配している調湿基材は、互いにその木口面を突き合わせ状に接合させた状態で施工されるため、優れた吸放湿作用を奏する木口面を全面的に閉じた構造となって調湿基材の吸放湿性能を一層、低下させるといった問題点があった。
【０００６】
本発明は上記のような問題点に鑑みてなされたもので、その目的とするところは、表面に低透湿性の化粧紙等の化粧層を設けていても、調湿性能を十分に発揮することができ、且つ、構造が簡単で取扱性や施工性に優れていると共に安価に製作することができる調湿内装パネルとこの調湿内装パネルの取付構造を提供するにある。
【課題を解決するための手段】
【０００７】
上記目的を達成するために、本発明の調湿内装パネルは、請求項１に記載したように、表面に化粧紙等の化粧層を施している調湿基材の裏面に複数本の桟材を一体的に固着して調湿基材の裏面と隣接する桟材間に空気の流通路を形成してなる構造としている。
【０００８】
このように構成した調湿内装パネルにおいて、請求項２に係る発明は、上記調湿基材の裏面に桟材を介して下地裏板を一体に取付けていることを特徴とし、請求項３に係る発明は、上記桟材に空気の流通路に連通する複数個の貫通孔を設けていることを特徴としている。
【０００９】
さらに、請求項４に係る発明は、上記化粧層として透湿性を有する化粧シート等によって形成していることを特徴とし、請求項５に係る発明は、化粧層を設けた上記調湿基材に、化粧層表面から該調湿基材の裏面に貫通する複数のスリット又は小孔を設けていることを特徴とする。
【００１０】
請求項６に係る発明は、この調湿内装パネルの取付構造であって、表面に化粧紙等の化粧層を施している調湿基材の裏面に複数本の桟材を一体的に固着してなる調湿内装パネルを、隣接する調湿内装パネルにおける対向する木口面間に隙間を設けるようにして下地面に取付け、該下地面と調湿基材との対向面と隣接する桟材とで囲まれた空間部を上記隙間を通じて外部に連通する空気の流通路に形成してなる構造としている。
【発明の効果】
【００１１】
本発明の調湿内装パネルによれば、室内側に面する調湿基材の表面に化粧紙等の化粧層を施しているので、この化粧層を低透湿性の化粧シートを貼着することによって形成しておいても、該化粧層が全面的に且つ直接、室内空間に面しているから室内の調湿機能を効果的に発揮することができるばかりでなく、調湿基材の裏面に複数本の桟材を一体的に固着して隣接する桟材間空気の流通路を形成し、この流通路に調湿基材の裏面を全面的に露出させているので、調湿基材の裏面側においても良好な吸放湿を行わせることができ、従って、調湿基材の持つ調湿性能を有効に発揮させることができる。
【００１２】
さらに、調湿基材を調湿内装パネルの表面化粧材として用いて、その裏面に複数本の桟材を取付けた構造としているので、その構造が簡単で安価に製作することができると共に取扱いや施工も容易に行えるものである。
【００１３】
また、調湿基材の裏面に上記桟材を介して下地裏板を一体に取付けておくことにより、施工性が一層、能率よく行えると共に上記下地裏板として調湿性能を有する板材を用いれば、調湿内装パネルの吸放湿性能をさらに向上させることができる。
【００１４】
同様に、上記桟材に調湿基材の裏面側における隣接する桟材間で形成された空気の流通路に連通する貫通孔を設けておくことにより、調湿基材の裏面側での空気の流れが一層良好となると共に、桟材も調湿性能を有する材から形成しておくことによって優れた吸放湿性能を発揮することができ、室内の調湿がよく円滑に行うことができる。
【００１５】
さらに、調湿基材にその表面化粧層から裏面に貫通する複数のスリット又は小孔を設けておくことよって空気に触れる木口面が増大した構造となり、そのスリットや小孔を通じて室内と調湿基材の裏面間での空気の流通により、該スリットや小孔に露出している調湿基材の面からの吸放湿作用が良好に行われて調湿基材の持つ調湿性能を一層有効に発揮させることができる。
【００１６】
また、上記調湿内装パネルの取付構造としては、表面に化粧紙等の化粧層を施している調湿基材の裏面に複数本の桟材を一体的に固着してなる上記調湿内装パネルを、隣接する調湿内装パネルにおける対向する木口面間に隙間を設けるようにして下地面に取付け、該下地面と調湿基材との対向面と隣接する桟材とで囲まれた空間部を上記隙間を通じて外部に連通する空気の流通路に形成しているので、隣接する調湿内装パネルの木口面間の隙間を通じて室内と調湿基材の裏面間での空気の流通が円滑に行われて調湿基材の裏面での吸放湿作用が良好に行われるばかりでなく、空気の流通路として全面的に露出している木口面から多量の吸放湿が行われ且つその吸放湿速度も早くて調湿基材全体に亘って吸放湿性能を向上させることができ、結露やカビの発生を防止することができる。
【発明を実施するための最良の形態】
【００１７】
次に、本発明を実施するための最良の形態について説明すると、図１、図２において、調湿内装パネルＡは、一定厚みを有する縦長長方形状の調湿基材１と、この調湿基材１の裏面に上下方向に所定間隔毎に固着した一定長さの角棒形状の桟材２、２・・とからなるもので、調湿基材１の裏面と上下に隣接する桟材２、２間で囲まれた空間部を調湿基材１の両側端の裏面間に亘って連通した空気の流通路３に形成していると共に、調湿基材１の表面全面には化粧紙や化粧シート、又は突板を接着することによって、或いは、塗装することによって化粧層４を設けている。
【００１８】
さらに、各桟材２には上下方向に貫通する貫通孔５を長さ方向、即ち、調湿基材１の横幅方向に所定間隔毎に設けている。この貫通孔５は、各桟材２における調湿基材１の裏面に接した表面から裏面に向かって断面コ字状の溝を形成することによって設けられてあり、従って、貫通孔５と対向した調湿基材１の裏面は、貫通孔５内に露出していて貫通孔５を通じて上記流通路３に流通する空気の流れにより該露出面からも貫通孔５に向かって吸放湿を行うように構成している。なお、この桟材２は木質材から形成されているが、調湿基材１と同様に調湿性を有する材料から形成しておいてもよい。
【００１９】
また、各桟材２はその一端面を調湿基材１の一側端面に面一状に揃えていると共に他端部を一定長さだけ調湿基材１の他側端面から外側方に突出させた突出端部2aに形成してあり、後述するように、下地面に調湿内装パネルＡを施工する際に、隣接する調湿内装パネルＡ、Ａにおいて、一方の調湿内装パネルＡの桟材２の上記突出端部2aの端面を他方の調湿内装パネルＡの桟材２の一端面に突き合わせ状に接合させることにより、隣接する調湿内装パネルＡ、Ａの対向する側端面間、即ち、木口面間に桟材２の突出端部2aの長さに相当する隙間６を形成するように構成している。
【００２０】
上記調湿性能を有する基材１としては、火山性ガラス質複層板（例えば、大建工業株式会社製、商品名：ダイライト）にシリカゲルや珪藻土等の吸放湿性添加物を配合してなる基材、或いは、シラス発泡体やパーライト等の無機発泡体と水酸化アルミニウムや炭酸カルシウム等の無機粉体との混合物を結合材によって結合成形してなる板状物を芯材部とし、この芯材部の表裏面に鉱物質繊維と無機粉体及び結合材との混合物を抄造して得られた外層部を一体に設けてなる複層板からなり、且つ、シリカゲル等の吸放湿性添加物を配合してなる基材を採用することができる。他に吸放湿性能を付与したセラミック板、石膏ボード、ケイ酸カルシウム板などの無機質建築板が使用できる。
【００２１】
図３はこのように構成した調湿内装パネルＡを下地面Ｂに施工してなる調湿内装パネルの取付構造の一例を示すもので、下地面Ｂの下端部と床面Ｃとが直角に連らなった内隅部に幅木Ｄを、その裏面が下地面Ｂに、下端面が床面Ｃにそれぞれ接した状態に配設して固着し、この幅木Ｄから上方の下地面Ｂに、上記調湿内装パネルＡ、Ａを順次並列状態に配設して桟材２を下地面Ｂに接した状態で釘着等により固着すると共に、調湿内装パネルＡにおける調湿基材１の下端部表面に横長長方形状の下側額縁板Ｅを固着し、さらに、これらの調湿内装パネルＡ、Ａの上端部を上側額縁材Ｆによって被覆し、該額縁材Ｆの背面を下地面に固着してなるものである。
【００２２】
この際、上側額縁材Ｆと調湿内装パネルＡの調湿基材１の上端面及び上端部表面間に上側隙間７が設けられるように施工すると共に、下側額縁板Ｅにおいても、その下端面及び調湿基材１の下端面と幅木Ｄとの間に下側隙間８が設けられるように施工される。
【００２３】
さらに、隣接する調湿内装パネルＡ、Ａにおいて、一方の調湿内装パネルＡの調湿基材１の裏面に固着した桟材２における調湿基材１の他側端面から突出している突出端部2aの先端面を、他方の調湿内装パネルＡの調湿基材１の裏面に固着した桟材２の対向端面に突き合わせ状に接合させた状態にしてこれらの調湿内装パネルＡ、Ａを下地面に固着することにより、隣接する調湿内装パネルＡ、Ａにおける調湿基材１、１のの対向する側端面（木口面1a）間に桟材２の突出端部2aの長さに相当する縦長の隙間６を全長に亘って形成し、この隙間６を通じて室内空間と調湿内装パネルＡの調湿基材１の裏面側の空気の流通路３とを連通させた構造としている。
【００２４】
なお、調湿内装パネルＡの調湿基材１の裏面に固着している桟材２の一端面は調湿基材１の一側端面と面一にしているが、その一端面を調湿基材１の一側端面から内側方に没入させた取付構造としておいてもよく、さらには、桟材２の両側端を所定長だけ調湿基材１の両側端面から突出させておき、隣接する調湿内装パネルＡ、Ａの桟材２、２の突出端部を突き合わせ状に接合させることにより、上記一定幅の隙間６を形成するようにしておいてもよい。
【００２５】
この隙間６の幅寸法は特に限定されないが、２mm程度から30mm程度まで施工した調湿内装パネルＡの意匠性を妨げない幅寸法に設定する。また、桟材２の表裏面間の厚さ、即ち、この桟材２によって形成される上記流通路３の空間厚としては、３〜６mm程度にしておくことが施工上及び外観上、好ましい。
【００２６】
このような調湿内装パネルＡの取付構造によれば、室内と調湿内装パネルＡの調湿基材１の裏面とは、上記上下隙間７、８から桟材２に設けている貫通孔５を通じて連通していると共に、隣接する調湿内装パネルＡ、Ａにおける調湿基材１、１の対向する木口面1a、1a間の隙間６を通じて直接的に連通しているので、室内の空気がこれらの隙間６〜８を通じて調湿内装パネルＡの調湿基材１の裏面側の流通路３内に円滑に流通すると共にこの流通路３側からも上記隙間６〜８を通じて室内空間に対して空気の流通が円滑に行われる。
【００２７】
そのため、調湿内装パネルＡにおいては、室内に面した化粧層４を設けている表面だけでなく、上記隙間６に面して露出している木口面1a、1aや裏面からの吸放湿の速度が増大して調湿基材１の持つ調湿性能を著しく向上させることができるものである。
【００２８】
また、調湿内装パネルＡにおいて、その調湿基材１の表面に設けている化粧層４を透湿性を有する化粧紙等から形成しておくことにより、さらに優れた調湿性能を発揮させることができるものであり、さらに、図４、図５に示すように、調湿基材１にその化粧層４の表面から該調湿基材１の裏面に貫通した複数のスリット９や多数の小孔10を設けておいてもよく、このように形成しておくと、空気に触れる木口面が増大した構造となり、調湿基材１の持つ調湿性能を一層有効に発揮させることができる。
【００２９】
さらにまた、調湿基材１においては、図６、図７に示すように、少なくとも表裏いずれかの面に縦方向、或いは横方向の凹溝11、12を刻設しておくことによって吸放湿を行う調湿基材１の面積が増大し、上記スリット９や小孔10と同様に調湿基材１の調湿性能を向上させることができる。この際、調湿基材１が上述したように芯材部とこの芯材部の表裏面に一体に層着している外層部との三層構造であって、外層部よりも芯材部の方が優れた調湿性能を有する場合には、図８に示すように、調湿基材１の外層部1A、1Aの表裏面から芯材部1Bに達する複数条の溝13を設けておくことにより、芯材部1Bの持つ調湿性能を有効に発揮させることができる。
【００３０】
また、図９に示すように、調湿内装パネルＡにおける調湿基材１の裏面に固着している桟材２に、横幅が桟材２の長さに等しく縦幅が調湿基材１の縦幅に等しい縦長長方形状の石膏ボードや合板等からなる一定厚みを有する下地裏板14を取付けておいてもよく、このように構成しておくと、下地と仕上げ材である調湿内装パネルＡとが同時に施工でき、施工性が向上する。なお、下地材も調湿性能を有する材で形成しておけば、調湿内装パネルパネルＡと共に吸放湿性能を格段に向上させることができる。
【図面の簡単な説明】
【００３１】
【図１】調湿内装パネルの斜視図。
【図２】その横断面図。
【図３】調湿内装パネルの取付構造を示す斜視図。
【図４】調湿基材に複数のスリットを設けた調湿内装パネルの斜視図。
【図５】調湿基材に多数の小孔を設けた調湿内装パネルの斜視図。
【図６】調湿基材に縦方向の凹溝を設けた調湿内装パネルの一部の簡略斜視図。
【図７】調湿基材に横方向の凹溝を設けた調湿内装パネルの一部の簡略斜視図。
【図８】調湿基材の表裏面に溝を設けた調湿内装パネルの一部の横断面図。
【図９】下地裏板を設けた調湿内装パネルの斜視図。
【符号の説明】
【００３２】
Ａ  調湿内装パネル
１  調湿基材
２  桟材
３  流通路
４  化粧層
５  貫通孔
６  隙間
９  スリット
10  小孔
13  下地裏板
【図１】
2005256440.tif 000003
【図２】
2005256440.tif 000004
【図３】
2005256440.tif 000005
【図４】
2005256440.tif 000006
【図５】
2005256440.tif 000007
【図６】
2005256440.tif 000008
【図７】
2005256440.tif 000009
【図８】
2005256440.tif 000010
【図９】
2005256440.tif 000011